(57)【特許請求の範囲】
【請求項１】
蓋部、容器および着けローラを有する液体塗布装置であって、
前記容器は、塗布液を収容し、当該容器の内側面には、上端から所定の深さまでの溝が２箇所に形成されており、
前記着けローラは、前記溝より狭い幅のローラ軸を備え、前記ローラ軸の両端はそれぞれ前記溝の下端部に載せられ、前記容器に回転可能に取り付けられることにより、前記容器に収容された塗布液を吸収し、被塗布物に塗布液を塗布するものであり、
前記蓋部は、
前記着けローラの一部を蓋体外側に突出させるための貫通孔を備え、その下面には前記容器に形成された２箇所の溝に嵌合する２つの突起が設けられた蓋体と、
前記貫通孔から突出した前記着けローラの上方において、その表面が前記着けローラの表面と接近もしくは接するように設けられ、上下方向に移動可能に設置された押さえローラと、
前記押さえローラを保持するための押さえローラ保持部の前記押さえローラ側の面と揃えられた面を有し、前記蓋体と一体で成型されたガイド部材と、
を有することを特徴とする液体塗布装置。
【請求項２】
前記着けローラの表面はスポンジであることを特徴とする請求項１に記載の液体塗布装置。
【請求項３】
前記押さえローラの表面はテフロン樹脂であることを特徴とする請求項１または請求項２に記載の液体塗布装置。
【発明の詳細な説明】
【技術分野】
【０００１】
本発明は、水や糊等の塗布液を封筒等の被塗布物に塗布するための技術に関する。
【背景技術】
【０００２】
従来、印刷物等の封入物を自動的に封筒内に封入し、封緘する装置が用いられている（特許文献１参照）。このような封入封緘装置をもちいることにより大量の封筒に対して迅速に封入封緘を行うことができる。一方、少数の封筒に対して手作業で封入を行いたいという要望もある。特に、糊付封筒、切手等を貼付する際に、必要な水付け作業を行うための水つけ具も提案されている（特許文献２参照）。
【先行技術文献】
【特許文献】
【０００３】
【特許文献１】特許第３５１９４３２号公報
【特許文献２】実開平７−７９５号公報
【発明の概要】
【発明が解決しようとする課題】
【０００４】
しかしながら、特許文献２に記載の装置では、スポンジに対して上から封筒等を載せるため、封筒の糊付け箇所に十分に水を付けるには、力を入れて押さえつけなければならないという問題がある。
【０００５】
そこで、本発明は、強い力を加えることなく、手作業により、シート状の被塗布物に液体塗布を行うことが可能な液体塗布装置を提供することを課題とする。
【課題を解決するための手段】
【０００６】
上記課題を解決するため、請求項１の液体塗布装置は、蓋部、容器および着けローラを有する液体塗布装置であって、前記容器は、塗布液を収容し、当該容器の内側面には、上端から所定の深さまでの溝が２箇所に形成されており、前記着けローラは、前記溝より狭い幅のローラ軸を備え、前記ローラ軸の両端はそれぞれ前記溝の下端部に載せられ、前記容器に回転可能に取り付けられることにより、前記容器に収容された塗布液を吸収し、被塗布物に塗布液を塗布するものであり、前記蓋部は、前記着けローラの一部を蓋体外側に突出させるための貫通孔を備え、その下面には前記容器に形成された２箇所の溝に嵌合する２つの突起が設けられた蓋体と、前記貫通孔から突出した前記着けローラの上方において、その表面が前記着けローラの表面と接近もしくは接するように設けられ、上下方向に移動可能に設置された押さえローラと、前記押さえローラを保持するための押さえローラ保持部の前記押さえローラ側の面と揃えられた面を有し、前記蓋体と一体で成型されたガイド部材と、を有することを特徴とする。
【０００７】
請求項１の液体塗布装置によれば、塗布液を収容する容器に、塗布液を吸収し、被塗布物に塗布する着けローラを備え、着けローラを突出させるための貫通孔を備えた蓋体に押さえローラを設けた構成としたので、蓋体を容器に被せることにより一体型の構成となり、強い力を加えることなく、手作業によりシート状の被塗布物に液体塗布を行うことが可能となる。また、請求項１の液体塗布装置によれば、容器の内側面には、上端から所定の深さまでの２箇所の溝を設け、着けローラの軸の両端を各溝の下端部に載せるように構成したので、着けローラが、常時容器に収容された液体に浸ることとなり、回転時にすぐに液体を塗布位置まで上げることができるとともに、簡易に着けローラを回転可能に取り付けることが可能となる。さらに、請求項１の液体塗布装置によれば、蓋体の下面に２つの突起を設け、容器に形成された２つの溝に嵌合するようにしたので、蓋体と容器を簡易に一体化し、持ち運びが容易となるとともに、着けローラの軸受けのための溝を、蓋体を固定するためにも用いているため、簡易な構造で液体塗布装置を得ることが可能となる。
【０００８】
また、請求項２の液体塗布装置は、請求項１の液体塗布装置において、前記着けローラの表面はスポンジであることを特徴とする。請求項２の液体塗布装置によれば、着けローラの表面をスポンジとしたので、被塗布物に塗布するための液体を容易に吸収し、塗布位置まで上げることが可能となる。
【０００９】
また、請求項３の液体塗布装置は、請求項１または請求項２の液体塗布装置において、前記押さえローラの表面はテフロン(登録商標)樹脂であることを特徴とする。請求項３の液体塗布装置によれば、押さえローラの表面をテフロン樹脂としたので、液体が付着するのを最小限にすることが可能となる。
【発明の効果】
【００１３】
本発明によれば、強い力を加えることなく、手作業により、シート状の被塗布物に液体塗布を行うことが可能となる。
【図面の簡単な説明】
【００１４】
【図１】本発明の一実施形態に係る液体塗布装置の外観斜視図である。
【図２】蓋体を外した状態の、液体塗布装置の斜視図である。
【図３】蓋体の上面図および下面図である。
【図４】蓋体の側面図である。
【図５】容器の上面図および側面図である。
【発明を実施するための形態】
【００１５】
以下、本発明の好適な実施形態について、図面を参照して詳細に説明する。
図１は、本発明の一実施形態に係る液体塗布装置の外観斜視図である。図１において、１は押さえローラ、２は押さえローラ軸、３は軸固定部材、４は押さえローラ軸保持部、５は蓋体、６は貫通孔、７はガイド部材、１１は着けローラ、１５は把手、２０は容器である。
【００１６】
図１に示した液体塗布装置では、蓋体５に設けられた貫通孔から突出した着けローラ１１と、押さえローラ軸保持部４により保持された押さえローラ１の間にシート状の被塗布物を通すことにより、着けローラ１１に接する被塗布物の下側の部分に液体が塗布されるようになっている。
【００１７】
図１に示した液体塗布装置は、蓋部１０と容器２０が分離可能な構成となっている。図１の状態から、蓋部１０を外した状態の液体塗布装置の斜視図を図２に示す。図２において、１１は着けローラ、１１ａは着けローラ内周部、１１ｂは着けローラ外周部、１２は着けローラ軸、１３は容器外縁部、１４ａ、１４ｂはガイド溝、１５は把手、２０は容器である。図２には示していないが、使用時には、容器２０内部に塗布する液体を入れて、着けローラ１１のある程度の範囲が液体に浸る状態となるように調整する。
【００１８】
図３（ａ）は蓋部１０の上面図であり、図３（ｂ）は蓋部１０の下面図である。また、図４（ａ）は、図３（ａ）におけるＡ方向からの蓋部１０の側面図であり、図４（ｂ）は、図３（ａ）におけるＢ方向からの蓋部１０の側面図である。押さえローラ１は、押さえローラ軸２を軸として回転可能なローラであり、押さえローラ軸２は、押さえローラ１の円心部に設けられた孔を貫通している。押さえローラ軸２の一方の端は、押さえローラ軸保持部４の内部で上下移動可能に保持されており、他方の端は、押さえローラ軸２に設けられた円周状の溝に、内径が押さえローラ軸２の軸径より小さく、外径が押さえローラ１の円心部の孔より大きい環状の軸固定部材３を嵌め合わせることにより、押さえローラ１が押さえローラ軸２から外れないようにしている。また、押さえローラ軸２の長さ、軸固定部材３を嵌め合わせる位置を特定することにより、押さえローラ１が蓋体５に形成された貫通孔６の上方に位置するように調整している。
【００１９】
ガイド部材７は、蓋体５と一体で成型されており、蓋部１０を容器２０に嵌めたり、容器２０から外したりする際の把手としての機能を有している。また、ガイド部材７は、被塗布物の端を押さえ、押さえローラ１と着けローラ１１の間の塗布位置に被塗布物を導くガイドとしての機能を有する。図３（ａ）に示すように、ガイド部材７のローラ側の面は、押さえローラ軸保持部４のローラ側の面と揃えられており、被塗布物をローラ側へ導入し易くなっている。
【００２０】
図３（ｂ）、図４（ａ）（ｂ）に示すように、蓋体５は、直径の大きい蓋体上層部５ａと、直径の小さい蓋体下層部５ｂを有している。蓋体上層部５ａと、蓋体下層部５ｂは同心となるように形成されている。蓋体上層部５ａと、蓋体下層部５ｂは、１つの素材で成る蓋体５に段差を設けて形成したものであっても良いし、別体の蓋体上層部５ａと、蓋体下層部５ｂを同心にして接合したものであっても良い。そして、図３（ｂ）、図４（ｂ）に示すように、蓋体上層部５ａの所定の位置に、突起部８ａ、８ｂが設けられている。
【００２１】
図５（ａ）は、容器２０の上面図であり、図５（ｂ）は、図５（ａ）におけるＣ方向からの容器２０の側面図である。図２、図５（ａ）に示したガイド溝１４ａ、１４ｂは、容器外縁部１３の内側面に上端から所定の深さまで形成されている。ガイド溝１４ａ、１４ｂは、着けローラ軸１２の両端を支持するためのものであるため、図５（ａ）に示すように、その幅は、着けローラ軸１２の直径より大きくなるように形成されている。また、ガイド溝１４ａ、１４ｂは、溝の奥側（容器の外周側）同士の距離が、着けローラ軸１２の長さよりも長く、溝の手前側（容器の内周側）同士の距離が、着けローラ軸１２の長さよりも短くなる位置に形成される。また、設置された状態で、着けローラ軸１２が水平になるように、ガイド溝１４ａと１４ｂは、容器２０の上端からの深さが互いに等しくなるように形成されている。また、ガイド溝１４ａと１４ｂの上端からの深さは、着けローラ１１との関係を考慮しながら、設置された状態で、着けローラ１１の上端側が容器２０の上端より突出し（図５（ｂ）参照）、着けローラ１１の下端側が、容器２０の内側に収容された液体の上面より下に位置するように形成する。
【００２２】
着けローラ１１は、着けローラ軸１２に固定され、着けローラ内周部１１ａと、着けローラ外周部１１ｂを有する構成となっている。着けローラ外周部１１ｂは、塗布対象の液体を吸収する素材および構造で形成されている。着けローラ外周部１１ｂの素材および構造は、塗布対象の液体により最適なものを採用することができるが、構造としてはスポンジ状であることが望ましい。素材としては、採用した構造に適した公知のものを採用することができる。また、着けローラ内周部１１ａと着けローラ外周部１１ｂの接続についても採用した素材・構造に基づいて、公知の手法を採用することができるが、本実施形態では、粘着剤を有するスポンジテープの粘着面側を着けローラ内周部１１ａの外周に巻き付けて接着することにより形成している。着けローラ内周部１１ａの素材については、特に限定はなく、着けローラ外周部１１ｂを取り付けることができれば、公知の様々なものを採用することが可能である。また、容器２０には把手１５が設けられ、蓋部１０を外した状態および装着した状態において、容器２０の持ち運びを容易にしている。
【００２３】
上述の押さえローラ１は、着けローラ１１が被塗布物に液体を塗布する際に押さえるためのものであるため、押さえローラ１の下端部の表面と、着けローラ１１の上端部の表面の距離が被塗布物の厚みと一致するように設置されることが理想的である。しかし、厚みの異なる多様な被塗布物に対応可能とするため、本実施形態では、押さえローラ１を上下方向に移動可能に設置している。押さえローラ１を上下方向に移動可能に設置する手法としては、公知の種々のものを採用することができるが、本実施形態では、着けローラ１１と同様の手法を採用している。すなわち、押さえローラ軸保持部４の内部において、上下方向にガイド溝１４ａまたは１４ｂと同様のガイド溝を形成する。ガイド溝は、その下端の高さが、押さえローラ軸２の一端をガイド溝の下端に載せたときに、押さえローラ１の下端が着けローラ１１の上端と所定の距離を保つような位置になるように形成する。この際の所定の距離としては、“０”すなわち押さえローラ１の下端と着けローラ１１の上端が接するようにしても良いし、想定される被塗布物の厚み分としても良い。本実施形態では、押さえローラ１の下端と着けローラ１１の上端が接するような位置に設定している。これは、被塗布物が、封筒のフラップ部分であることが多く、ほとんど厚みがないためである。なお、押さえローラ１を上下に移動可能とするのは、厚みのある被塗布物に対して塗布を行う際に、押さえローラ１を上方に上げて、塗布可能とするためである。
【００２４】
本実施形態では、押さえローラ１の下端と着けローラ１１の上端が接するような位置に設定してあるため、押さえローラ軸保持部４内では、押さえローラ軸２の一端をガイド溝の下端に載せるだけでも、押さえローラ軸２が押さえローラ軸保持部４から外れることがない。押さえローラ軸２をより安定させるためには、押さえローラ軸保持部４内において、ナットを用いて適宜公知の手法により押さえローラ軸２を押さえローラ軸保持部４に固定するようにしても良い。ナット等を用いて固定しない場合は、ローラ軸保持部４の軸方向（図３（ａ）における上下方向）の幅を大きめにとることが望ましい。
【００２５】
押さえローラ１に、液体が付着してそのまま残ると、被塗布物に塗布する際に、塗布しようとする箇所と反対側の箇所に液体が塗布されてしまう不具合が生じる。そのため、押さえローラ１の表面の素材としては、水をはじく性質をもつ素材を用いることが望ましい。水をはじく性質をもつ素材であれば、公知のものを採用できるが、本実施形態では、テフロン樹脂を採用している。
【００２６】
本実施形態の液体塗布装置の使用について説明する。使用時には、塗布する液体（塗布液）を容器２０内の所定の高さまで注入する。塗布液は、着けローラ外周部１１ｂに浸み込むのに必要な量を注入する。着けローラ軸１２が全て沈む位置まで塗布液を注入するのが望ましい。液体を注入したら、突起部８ａ、８ｂを、ガイド溝１４ａ、１４ｂに嵌合することにより、蓋部１０を容器２０に装着する。この結果、図１に示したように、液体塗布装置が一体化する。この状態で、把手１５を持ち、所望の場所へ液体塗布装置を持ち運ぶことができる。
【００２７】
塗布液を塗布する際には、被塗布物の被塗布箇所が、押さえローラ１と着けローラ１１の間を通るように、手作業で被塗布物を移動させる（図１における左から右への方向）。この際、ガイド部材７の存在により、被塗布物が奥側へ飛び出さずに、ローラ側に導かれる。封筒のフラップ部分に糊や水を付ける場合、フラップ側を奥にすると、フラップ部分がガイド部材７に押さえられる。そして、被塗布物と押さえローラ１、着けローラ１１との摩擦により押さえローラ１と着けローラ１１を回転させる。この際、被塗布箇所が着けローラ１１に接するように、被塗布箇所を下側に向ける。これにより、被塗布箇所に液体が塗布される。例えば、塗布箇所が封筒のフラップ部分である場合、既に糊が付いている場合には、塗布液として水を用い、フラップ部分を接着可能な状態とする。また、封筒のフラップ部分に糊が付いていない場合には、塗布液として糊を用い、フラップ部分を接着可能な状態とする。
【符号の説明】
【００２８】
１・・・押さえローラ
２・・・押さえローラ軸
３・・・軸固定部材
４・・・押さえローラ軸保持部
５・・・蓋体
５ａ・・・蓋体上層部
５ｂ・・・蓋体下層部
６・・・貫通孔
７・・・ガイド部材
８ａ、８ｂ・・・突起部
１０・・・蓋部
１１・・・着けローラ
１１ａ・・・着けローラ内周部
１１ｂ・・・着けローラ外周部
１２・・・着けローラ軸
１３・・・容器外縁部
１４ａ、１４ｂ・・・ガイド溝
１５・・・把手
２０・・・容器
【図１】
0005724306.tif 000002
【図２】
0005724306.tif 000003
【図３】
0005724306.tif 000004
【図４】
0005724306.tif 000005
【図５】
0005724306.tif 000006